(57)【要約】【課題】カラオケボックスのルーム内で使用されるカラオケ装置において、再生されるコンテンツが不正に複製されることを防ぐこと。【解決手段】カラオケ装置１の負荷検出部３６が、端子電圧検出手段４５のＰ端子における端子電圧Ｅ1の値を検出し、制御部１２が、負荷検出部３６によって検出された端子電圧Ｅ1の値に基づき、出力端子３７に接続されたＴＶモニタ３が適切なものであるか否かを判定する「判定処理」を実行する。つまり、制御部１２が、出力端子３７に接続されたＴＶモニタ３の適否を端子電圧検出手段４５のＰ端子における端子電圧Ｅ1の値に基づいて判定するので、例えば不正使用者がカラオケ装置１側の出力端子３７とＴＶモニタ３側の接続端子との間に複製機器を介在させた場合にそのことを検知することができ、したがって、再生されるコンテンツが不正に複製されることを防ぐことができる。【選択図】図２
2007241082.tif 000002
【特許請求の範囲】
【請求項１】
楽曲データを記憶しておく楽曲データ記憶手段と、
前記楽曲データ記憶手段が記憶する楽曲データに基づいて楽曲再生を行う楽曲再生手段と、
映像データを記憶しておく映像データ記憶手段と、
前記映像データ記憶手段が記憶する映像データに基づいて映像再生を行う映像再生手段と、
を備え、前記映像再生手段は、前記楽曲再生手段による楽曲再生に伴って映像再生を行うカラオケ装置であって、
前記映像再生手段によって再生された映像信号を外部の映像表示部に対して出力するための映像出力端子と、
前記映像出力端子における端子負荷の電気的特性値を検出する負荷検出手段と、
前記負荷検出手段によって検出された端子負荷の電気的特性値に基づき、前記映像出力端子に接続された外部の映像表示部が適切なものであるか否かを判定する判定処理を実行する判定手段と、
を備えることを特徴とするカラオケ装置。
【請求項２】
請求項１に記載のカラオケ装置において、
前記映像出力端子における端子負荷の電気的特性値とは、前記映像出力端子におけるインピーダンス値であることを特徴とするカラオケ装置。
【請求項３】
請求項１に記載のカラオケ装置において、
前記映像出力端子における端子負荷の電気的特性値とは、前記映像出力端子における電圧値であることを特徴とするカラオケ装置。
【請求項４】
請求項１〜請求項３の何れかに記載のカラオケ装置において、
前記判定手段は、前記負荷検出手段によって検出された端子負荷の電気的特性値が所定の割合を超えて変化した場合には、前記映像出力端子に接続された外部の映像表示部が適切なものではないと判定することで前記判定処理を実行することを特徴とするカラオケ装置。
【請求項５】
請求項１〜請求項４の何れかに記載のカラオケ装置において、
前記映像出力端子へ適切な映像表示部が接続された際の端子負荷の電気的特性値である正規端子負荷値を記憶する負荷値記憶手段を備え、
前記判定手段は、前記負荷値記憶手段が記憶する前記正規端子負荷値と前記負荷検出手段によって検出された端子負荷の電気的特性値とを比較することによって、前記映像出力端子に接続された外部の映像表示部が適切なものであるか否かを判定することで前記判定処理を実行すること
を特徴とするカラオケ装置。
【請求項６】
請求項１〜請求項５の何れかに記載のカラオケ装置において、
前記判定手段は、前記映像再生手段が前記映像データに基づいて映像再生を行う以前に、前記判定処理を実行することを特徴とするカラオケ装置。
【請求項７】
請求項１〜請求項６の何れかに記載のカラオケ装置において、
前記判定手段は、前記負荷検出手段によって検出された端子負荷の電気的特性値が、前記映像再生手段によって前記映像データに基づいて映像再生が行われる場合における特定色の映像信号を出力している際の端子負荷の電気的特性値に対して所定の割合を超えて変化した場合には、前記映像出力端子に接続された外部の映像表示部が適切なものではないと判定することで前記判定処理を実行することを特徴とするカラオケ装置。
【発明の詳細な説明】
【技術分野】
【０００１】
本発明は、カラオケボックスのルーム内で使用されるカラオケ装置において、再生されるコンテンツが不正に複製されることを防ぐ技術に関する。
【背景技術】
【０００２】
従来より、ＨＤＭＩ規格に準拠したデジタルインターフェースによる複数の信号入力端子を備えた映像表示装置が知られている（例えば、特許文献１参照。）。なお、ＨＤＭＩとは、ＰＣ用ディスプレイなどで採用されているＤｉｇｉｔａｌ  Ｖｉｄｅｏ  Ｉｎｔｅｒｆａｃｅ（ＤＶＩ）をベースとして規格されたインターフェイスである。例えば、入力端子Ｃ１にはＡＶ機器２からのデジタル信号が入力され、入力端子Ｃ１にはＡＶ機器３からのデジタル信号が入力される。これらＡＶ機器には、例えばＤＶＤ（Ｄｉｇｉｔａｌ  Ｖｅｒｓａｔｉｌｅ  Ｄｉｓｋ）プレーヤやセットトップボックス（ＳＴＢ）が該当する。
【０００３】
また、セットトップボックスなどの信号発生装置から出力された信号を入力する入力端子を備えたテレビジョン受信機などの映像処理装置が知られている（例えば、特許文献２参照。）。
【０００４】
ところで、近年、演奏データに基づいてカラオケ演奏を行う機能を有するとともに、カラオケ演奏中以外の時間帯である曲間において映像コンテンツを再生することが可能なカラオケ装置が知られている。
【０００５】
このようなカラオケ演奏以外の映像コンテンツが曲間に再生されるようになった背景には、上述のようなテレビジョン受信機などの映像処理装置（映像表示装置）が大画面化し、このように大画面化した映像処理装置や高度なデータ処理が可能なカラオケ装置を利用することにより、カラオケ演奏時間以外にもサービスを提供して、カラオケ演奏料金以外のサービス利用料金を利用者から徴収可能とすることで、カラオケボックスのビジネスを発展させようという考えが普及してきたことが挙げられる。
【０００６】
なお、上述のような映像コンテンツを曲間などで再生可能なカラオケ装置では、次のように映像コンテンツの信号を外部のＴＶモニタに出力している。すなわち、カラオケ装置が、上述の映像コンテンツの信号を内部で一旦暗号化し、フィルターにてノイズを除去するなどの処理を内部で施し、外部のＴＶモニタに出力する直前にその処理後の映像コンテンツの信号を復号化して、ＴＶモニタが接続された接続端子に出力する。そして、接続端子に出力された信号は配線を介してＴＶモニタに送られ、そのＴＶモニタにて映像として出力される。
【０００７】
なお、上述のようにカラオケ装置の内部で映像コンテンツの信号を暗号化したのちに複合化する処理を実行しているのは、カラオケ装置から送信された映像コンテンツの信号を入力するためのＴＶモニタのＤ端子には、暗号化された映像コンテンツの信号を入力できないためでもある。
【０００８】
したがって、映像コンテンツを不正に複製されることを防ぐために、コピーガード機器を用いることにより、上述の接続端子からアナログ出力された信号をビデオなどの機器で複製できないようにしているカラオケ装置もある。
【０００９】
すなわち、一般的なカラオケボックスのカラオケシステムである場合、上述の特許文献１においては、映像信号処理部１６と映像表示部１７との間で（特許文献２においては、表示出力２４２と表示装置２Ａとの間）カラオケ装置からＴＶモニタへ出力される映像コンテンツ信号として、コンポジット信号、又はＤ端子信号（ＥＩＡＪ  ＣＰ４１２０）が用いられている。
【００１０】
また、上述の映像コンテンツがコンポジット信号である場合には、特許文献１の映像信号処理部１６（あるいは特許文献２の表示出力２４２）などにマクロビジョン（商標）などのコピーガード信号を重畳するコピーガード手段を追加し、コピーガードされた映像コンテンツ信号を生成し、ＴＶモニタは正常に再生でき、かつビデオ録画デッキでは正常な録画ができない映像コンテンツ信号を、ＴＶモニタが接続された接続端子に出力し、ＴＶモニタへ前記コンテンツが入力されることでＴＶ画面上に前記コンテンツが再生される（図９（ａ）参照）。なお、図９（ａ）は一般的なカラオケシステムにおいてカラオケ装置とＴＶモニタとの接続状態を示す説明図である。
【特許文献１】特開２００４−３５７０２９号公報
【特許文献２】特開２００３−２５９２４１号公報
【発明の開示】
【発明が解決しようとする課題】
【００１１】
しかし、上述のようなカラオケシステムにおいては、カラオケ装置側の映像出力端子とＴＶモニタ側の映像入力端子との間で、不正使用者によってコピーガード解除システムを介在された場合（図９（ｂ）参照）に、コピーガード信号を重畳された映像コンテンツであっても、複製システムによって、映像コンテンツ信号が不正に複製される第１問題があった。なお、図９（ｂ）は一般的なカラオケシステムにおいてカラオケ装置とＴＶモニタとの間に不正な複製システムが接続された状態を示す説明図である。
【００１２】
更に、Ｄ端子信号の場合においては、映像コンテンツ信号がセパレート信号であるために、マクロビジョンなどのコピーガード信号を前記映像コンテンツ信号に重畳できずに、不正使用者は複製システムを用意しなくても、カラオケ装置とＴＶモニタ間に、Ｄ端子で録画可能なビデオ録画デッキを接続すれば、容易に不正な複製ができる第２問題もあった。
【００１３】
なお、カラオケにおける酒場市場の場合には、一般的にカラオケ装置の設置環境は、カラオケ装置管理者（例えばスナックのママさん）の目視可能な場所（例えば、カウンター内）であるから、前記管理者の目前で、不正利用者が、カラオケ装置とＴＶモニタ間に、複製システムや、Ｄ端子ビデオ録画デッキを接続する事は困難であるため、第１問題、第２問題とも発生する可能性は低い。
【００１４】
ところが、カラオケボックス市場の場合、カラオケ装置管理者はカラオケボックスの受付などに居て、カラオケルーム内のカラオケ装置とＴＶモニタの接続状況を目視できないため、不正利用者は、カラオケ装置とＴＶモニタ間に、前記複製システムや、Ｄ端子ビデオ録画デッキを接続して不正な複製を行う第１問題、又は第２問題が発生する可能性が高くなる。
【００１５】
前記カラオケボックス管理者が、全てのカラオケルームを定期的に巡回して、上述のような不正なコンテンツ複製が行われないように監視する事も考えられるが、監視を行うに要する時間は受付できなくなり利用者が減り、巡回監視員を雇えばコスト増加となる。また、前記巡回によって不正でない利用者が監視されているという印象を受けるならば、サービス産業としてのカラオケボックスの管理方法としては本末転倒であり、前記巡回を実施する事は現実的でない。
よって、上述のような不正なコンテンツの複製が行われることをカラオケ装置自らが検知することが好ましい。
【００１６】
本発明は、このような不具合に鑑みなされたものであり、その目的とするところは、カラオケボックスのルーム内で使用されるカラオケ装置において、再生されるコンテンツが不正に複製されることを防ぐ技術を提供することにある。
【課題を解決するための手段】
【００１７】
上記課題を解決するためになされた請求項１に係るカラオケ装置は、楽曲データを記憶しておく楽曲データ記憶手段と、前記楽曲データ記憶手段が記憶する楽曲データに基づいて楽曲再生を行う楽曲再生手段と、映像データを記憶しておく映像データ記憶手段と、前記映像データ記憶手段が記憶する映像データに基づいて映像再生を行う映像再生手段と、を備え、前記映像再生手段は、前記楽曲再生手段による楽曲再生に伴って映像再生を行うカラオケ装置であって、前記映像再生手段によって再生された映像信号を外部の映像表示部に対して出力するための映像出力端子と、前記映像出力端子における端子負荷の電気的特性値を検出する負荷検出手段と、前記負荷検出手段によって検出された端子負荷の電気的特性値に基づき、前記映像出力端子に接続された外部の映像表示部が適切なものであるか否かを判定する判定処理を実行する判定手段と、を備えることを特徴とする。
【００１８】
このように構成された本発明のカラオケ装置によれば、負荷検出手段が、映像出力端子における端子負荷の電気的特性値を検出し、判定手段が、負荷検出手段によって検出された端子負荷の電気的特性値に基づき、出力端子に接続された外部の映像表示部が適切なものであるか否かを判定する判定処理を実行する。つまり、判定手段が、接続された映像表示部の適否を端子負荷の電気的特性値に基づいて判定するので、例えば不正使用者がカラオケ装置側の接続端子と映像表示部側の接続端子との間に複製機器を介在させた場合にそのことを検知することができ、したがって、カラオケボックスのルーム内で使用されるカラオケ装置において、再生されるコンテンツが不正に複製されることを防ぐことができる。
【００１９】
なお、従来のカラオケ装置のおいては、上述の映像出力端子がＤ端子である場合に次のような問題があった。すなわち、ＴＶ機器の負荷インピーダンスの数値は、機種ごとに固有の値があり、入力インピーダンスについては上述のような値（７５Ω）ではない。したがって、出力側インピーダンスの値が例えば７５（Ω）といった具合に一定であっても、ＴＶ機器の負荷インピーダンスの数値が変化するために端子電圧Ａ、Ｂ又はＣは０．７（Ｖ）には定まらない。このことから、次のような問題があった。すなわち、Ｄ４端子にＴＶ機器が接続されると「１２番ピン」−「１４番ピン」がショートされ、「１２番ピン」−「１４番ピン」の接続状態を検出することにより、ＴＶ機器のＤ端子からの解放、又はＤ端子への接続を検知できるが、Ｄ端子から一旦解放され再接続された機器が、解放以前から接続されていたＴＶ機器が再接続されたのか、もしくは別の機器が新たに接続されたのかは検出できなかった。
【００２０】
これに対して本発明のカラオケ装置によれば、Ｄ端子からコネクタが取り外されたことを検出した場合、もしくは、接続されたＴＶ機器の負荷インピーダンスが予め登録されていた機器と同じか異なるかを検出する場合に、接続機器が変化したことを検出した旨を管理者に通知することによって、管理者が目の届かない、カラオケボックスで行われるカラオケコマンダとＴＶ機器との間にビデオ録画装置を接続し、コピープロテクト信号が入っていないＤ端子からの再生ビデオ信号を盗み取るビデオオンデマンドの不正コピーを防ぐことができる。
【００２１】
この場合、映像出力端子における端子負荷の電気的特性値とは、（イ）映像出力端子における電圧値であることが考えられる（請求項３）。
また、上述の映像出力端子におけるインピーダンス値であることが考えられる（請求項２）。このように構成すれば、次のような効果を奏する。すなわち、例えば電圧値についてはスカラー値で検出されるため、抵抗値（Ｒ）、電気容量値（Ｃ）および電磁誘導値（Ｌ）の各成分の組み合わせを区別することができないが、上述のようなインピーダンス値で判別する手法においては、インピーダンス値がベクトル成分を含むために、より高精度に負荷値を区別することができる。
【００２２】
ところで、上述の判定処理の具体例としては、次のような手法が考えられる。
（ハ）すなわち、上述の端子負荷の電気的特性値が大きく変化した場合に適切な映像表示部ではないと判定することが考えられる。具体的には、請求項４のように、負荷検出手段によって検出された端子負荷の電気的特性値が所定の割合を超えて変化した場合には、判定手段が、出力端子に接続された外部の映像表示部が適切なものではないと判定することで判定処理を実行することが考えられる。
【００２３】
このように映像コンテンツの再生中に上述の判定処理を実行すれば、例えば不正使用者がカラオケ装置側の接続端子と映像表示部側の接続端子との間に複製機器を介在させたことが発覚しなかった場合であっても、出力端子に接続された外部の映像表示部が適切なものであるか否かを映像コンテンツの再生中に判定できる。
【００２４】
（ニ）また、適切な映像表示部が出力端子に接続された際の「正規の端子負荷値」と、検出された端子負荷の値とを比較することが考えられる。具体的には、請求項５のように、映像出力端子へ適切な映像表示部が接続された際の端子負荷の電気的特性値である正規端子負荷値を記憶する負荷値記憶手段を備え、判定手段が、負荷値記憶手段が記憶する「正規端子負荷値」と負荷検出手段によって検出された端子負荷の電気的特性値とを比較することによって、出力端子に接続された外部の映像表示部が適切なものであるか否かを判定することで判定処理を実行することが考えられる。
【００２５】
このようにすれば、例えば不正使用者がカラオケ装置側の接続端子と映像表示部側の接続端子との間に複製機器を介在させた場合にそのことを検知することができる。
ところで、上述の判定処理については、映像コンテンツを再生する前に実行することが考えられる。具体的には、請求項６のように、映像再生手段が映像データに基づいて映像再生を行う以前に、判定手段が、上述の判定処理を実行することが考えられる。このように映像コンテンツを再生する前に上述の判定処理を実行すれば、例えば不正使用者がカラオケ装置側の接続端子と映像表示部側の接続端子との間に複製機器を介在させた場合にそのことをより早期に検知することができる。
【００２６】
また、上述の判定処理については、映像コンテンツの再生中に実行することが考えられる。この場合には、特定色のビデオ信号に対して端子負荷値が大きく変化した場合に、出力端子に接続された映像表示部が不適切と判定することが考えられる。具体的には、請求項７のように、負荷検出手段によって検出された端子負荷の電気的特性値が、映像再生手段によって映像データに基づいて映像再生が行われる場合における特定色の映像信号を出力している際の端子負荷の電気的特性値に対して所定の割合を超えて変化した場合には、判定手段が、出力端子に接続された外部の映像表示部が適切なものではないと判定することで判定処理を実行することが考えられる。
【００２７】
このように映像コンテンツの再生中に上述の判定処理を実行すれば、例えば不正使用者がカラオケ装置側の接続端子と映像表示部側の接続端子との間に複製機器を介在させたことが発覚しなかった場合であっても、出力端子に接続された外部の映像表示部が適切なものであるか否かを映像コンテンツの再生中に判定でき、したがって、再生されるコンテンツが不正に複製されることを防ぐことができる。
【発明を実施するための最良の形態】
【００２８】
以下に本発明の実施形態を図面とともに説明する。
［第一実施形態］
図１は、第一実施形態のカラオケ装置１の全体構成を示すブロック図である。また、図２は、第一実施形態のカラオケ装置の負荷検出部、出力端子およびＴＶモニタの入力アンプの詳細を示すブロック図である。また、図３（ａ）は、第一実施形態のカラオケ装置の出力端子のＤ端子の詳細を説明する説明図（１）であり、図３（ｂ）はＤ端子の詳細を説明する説明図（２）であり、図３（ｃ）はＤ端子の詳細を説明する説明図（３）である。
【００２９】
［カラオケ装置１の構成の説明］
図１に示すように、カラオケ装置１は、カラオケ装置１全体の動作を制御する制御部１２、カラオケ装置１をネットワーク１００に接続するためのインターフェイス部１４、演奏楽曲の伴奏内容および歌詞を示す楽曲データや映像データなどを記憶するハードディスク（ＨＤＤ）１６、複数のキー・スイッチからなる操作部１８、リモコン端末２からの赤外線信号を赤外線通信規格（ＩｒＤＡ）に従って受信するための赤外線通信部２０、操作部１８からの信号を処理する操作処理部２２、ハードディスク１６に記憶された楽曲データから演奏楽曲のオーディオ信号（音響，音声に関する信号）を生成し、生成されたオーディオ信号およびマイクロフォン２６から入力されたオーディオ信号を増幅してスピーカ２８へ出力する音声制御部２４、ＭＩＤＩ音源３０、映像情報を一時的に記憶するビデオＲＡＭ３２、映像データに基づく映像の再生を制御する映像再生部３４、ビデオＲＡＭ３２に記憶された映像情報および映像再生部３４により再生される映像のＴＶモニタ３での表示を制御する映像制御部３８、映像再生部３４によって再生された映像信号を外部のＴＶモニタ３に対して出力する出力端子３７における端子負荷の電気的特性値を検出する負荷検出部３６、出力端子３７などを備えている。また、制御部１２と音声制御部とはＵＳＢ３９によって接続されている。
【００３０】
ＨＤＤ１６には、コンテンツコピーフラグを記憶する記憶領域や、後述する各種データを記録するための記録領域が設定されている。
制御部１２は、後述するディスプレイ登録処理（１）およびディスプレイ登録処理（２）の各処理を実行する。また、制御部１２は、負荷検出部３６によって検出された出力端子３７のインピーダンス値に基づき、出力端子３７に接続されたＴＶモニタ３が適切なものであるか否かを判定する「判定処理」を実行する。
【００３１】
なお、ＨＤＤ１６は、楽曲データ記憶手段および映像データ記憶手段に該当する。音声制御部２４およびＭＩＤＩ音源３０は楽曲再生手段に該当する。映像再生部３４は映像再生手段に該当する。また、負荷検出部３６は負荷検出手段に該当する。出力端子３７は映像出力端子に該当する。また、ＴＶモニタ３は映像表示部に該当する。また、制御部１２は判定手段に該当する。
【００３２】
［負荷検出部３６の構成の説明］
図２に示すように、負荷検出部３６は、出力アンプ４０、２つのスイッチ４３，４４、端子電圧検出手段４５を備える。
【００３３】
このうち出力アンプ４０は、アンプ４１と、抵抗４２から構成されている。このうちアンプ４１の入力側端子には映像制御部３８が接続されている。また、アンプ４１の出力側端子には抵抗４２が接続されている。また、アンプ４１は接地されている。さらに、抵抗４２は、ＴＶモニタ３の入力アンプ３ａに２つのスイッチ４３，４４を介して接続されている。
【００３４】
また、端子電圧検出手段４５の端子Ｐは、スイッチ４３とスイッチ４４との間の配線に接続されている。また、端子電圧検出手段４５は接地されている。したがって、端子電圧検出手段４５は、スイッチ４３とスイッチ４４との間の配線との接続点から、電気的特性値としての電圧値を取得することが可能である。なお、端子電圧検出手段４５の端子Ｐの入力インピーダンス値がＺ1、Ｚ2よりも十分に高い値であれば（例えば、Ｚ1、Ｚ2が７５Ωのときに端子Ｐの入力インピーダンス値が１ＭΩであるなど）、その端子Ｐにおける端子電圧Ｅ1（Ｖ）は次の式（１）によって算出される。
【００３５】
Ｅ1＝Ｚ2×Ｅ0／（Ｚ1+Ｚ2）・・・式（１）
なお、記号「Ｅ0」は、出力アンプ４０の端子電圧（Ｖ）であり、記号「Ｚ1」は、出力アンプ４０の出力インピーダンス値(Ω)であり、記号「Ｚ2」は、ＴＶモニタ３の入力アンプ３ａの入力インピーダンス値(Ω)である。
【００３６】
さらに、端子電圧検出手段４５は、制御部１２による指示に従って、２つのスイッチ４３，４４の開閉状態を制御する機能を有する。
［Ｄ端子についての説明］
また、端子電圧検出手段４５には、カラオケ装置１が備えるＤ端子が接続されている。なお、図３（ａ）はＤ端子の詳細を示す説明図であり、図３（ｂ）はＤ端子が備えるピンの配置を示す説明図である。また、本実施形態では、Ｄ端子が備えるピンのうち１番ピン（輝度信号Y）と２番ピン（グランド）との間の端子間の電圧Ａ、同様に、色差信号「Ｐｂ」と「Ｐｂ」グランドとの間の端子間の電圧Ｂ、色差信号「Ｐｒ」と「Ｐｒ」グランドとの間の端子間の電圧Ｃ、それぞれの電圧は公称インピーダンス７５（Ω）において０．７（Ｖ）と設定されている。
【００３７】
［リモコン端末２の構成の説明］
リモコン端末２は、リモコン端末２全体の動作を制御する制御部５２、カラオケ装置１に赤外線信号を赤外線通信規格（ＩｒＤＡ）に従って送信する赤外線通信部５４、各種情報を記憶するメモリ５６、表示部５８の表示領域に沿って設置されるタッチパネルおよび複数のキー・スイッチからなる操作部６０、操作部６０からの信号を処理する操作処理部６２、映像情報を一時的に記憶するビデオＲＡＭ６４、ビデオＲＡＭ６４に記憶された映像情報の表示部５８での表示を制御する映像制御部６６、ネットワーク１００に接続された無線アクセスポイント１１０との間で無線ＬＡＮ規格（例えば、ＩＥＥＥ８０２．１１ａ／ｂ／ｇ規格）に従った無線通信を行うための無線ＬＡＮ通信部６８、などを備えている。また、音声制御部２４は、後述する演奏処理を実行する。
【００３８】
［ディスプレイ登録処理（１）の説明］
以下に、カラオケ装置１の制御部１２により実行されるディスプレイ登録処理（１）の処理手順を図６のフローチャートに基づいて説明する。このディスプレイ登録処理（１）は、出力端子３７の端子電圧値を測定することで、ＴＶモニタ３に関する登録作業を行う処理であり、例えば製造時など出力端子３７にＴＶモニタ３が接続されていない状態においてカラオケ装置１が起動された場合に実行される。
【００３９】
まず、端子電圧検出手段４５を制御して、スイッチ４３（ＳＷ１）を閉鎖させ、スイッチ４４（ＳＷ２）を開放させる（Ｓ１１０）。
続いて、ＴＶモニタ３を出力端子３７に接続していない状態におけるその色彩が白色であるビデオデータを出力した際の入力インピーダンス値、およびその色彩が青色であるビデオデータを出力した際の入力インピーダンス値をそれぞれ次のように測定する（Ｓ１２０）。すなわち、映像制御部３８を制御してその色彩が白色であるビデオデータを出力する。さらに、端子電圧検出手段４５を制御して端子電圧検出手段４５の端子Ｐにおける端子電圧Ｅ1を測定する。そして、端子電圧検出手段４５のＰ端子における端子電圧Ｅ1の値をＨＤＤ１６の「ＥＷ０」記録領域へ記録させる（Ｓ１６０、図３(ｃ)参照）。次に、映像制御部３８を制御してその色彩が青色であるビデオデータを出力する。さらに、端子電圧検出手段４５を制御して端子電圧検出手段４５の端子Ｐにおける端子電圧Ｅ1を測定する。そして、端子電圧検出手段４５のＰ端子における端子電圧Ｅ1の値をＨＤＤ１６の「ＥＢ０」記録領域へ記録させる（Ｓ１６０、図３(ｃ)参照）。
【００４０】
続いて、ＴＶモニタ３を出力端子３７に接続するよう要求する旨のデータをリモコン端末２へ送信するとともに、端子電圧検出手段４５を制御して、スイッチ４３（ＳＷ１）およびスイッチ４４（ＳＷ２）を閉鎖させる（Ｓ１３０）。なお、この要求データを受信したリモコン端末２では、制御部５２が、各部を制御して、ＴＶモニタ３を出力端子３７に接続するよう要求する旨の通知を表示部５８に表示させる。
【００４１】
続いて、ＴＶモニタ３が出力端子３７へ接続された旨のデータをリモコン端末２が受信したか否かを判断する（Ｓ１４０）。上述のデータをリモコン端末２が受信していないと判断された場合には（Ｓ１４０：Ｎ）、本Ｓ１４０を繰り返し実行することで待機する。
【００４２】
一方、上述のデータをリモコン端末２が受信したと判断された場合には（Ｓ１４０：Ｙ）、ゲートパルスタイミングにて、ＴＶモニタ３を出力端子３７に接続した状態におけるその色彩が白色であるビデオデータを出力した際の入力インピーダンス値、およびその色彩が青色であるビデオデータを出力した際の入力インピーダンス値をそれぞれ次のように測定する（Ｓ１５０）。すなわち、映像制御部３８を制御してその色彩が白色であるビデオデータを出力する。さらに、端子電圧検出手段４５を制御して端子電圧検出手段４５の端子Ｐにおける端子電圧Ｅ1を測定する。そして、端子電圧検出手段４５のＰ端子における端子電圧Ｅ1の値をＨＤＤ１６の「ＥＷ１」記録領域へ記録させる（Ｓ１６０、図３(ｃ)参照）。次に、映像制御部３８を制御してその色彩が青色であるビデオデータを出力する。さらに、端子電圧検出手段４５を制御して端子電圧検出手段４５の端子Ｐにおける端子電圧Ｅ1を測定する。そして、端子電圧検出手段４５のＰ端子における端子電圧Ｅ1の値をＨＤＤ１６の「ＥＢ１」記録領域へ記録させる（Ｓ１６０、図３(ｃ)参照）。
【００４３】
続いて、端子電圧検出手段４５を制御して、スイッチ４３（ＳＷ１）およびスイッチ４４（ＳＷ２）を閉鎖させる（Ｓ１７０）。
［判定処理の説明］
以下に、カラオケ装置１の制御部１２により実行される判定処理の処理手順を図８のフローチャートに基づき、図３，４を参照して説明する。なお、図３（ｃ）および図４は判定処理を説明する説明図である。
【００４４】
この判定処理は、カラオケ装置１が起動している間に繰り返し実行される。
まず、ＨＤＤ１６が記憶するコンテンツコピーフラグを読み出し（Ｓ３０５）、その読み出したコンテンツコピーフラグを参照して、コンテンツを再生する旨の指示がなされたか否かを判断する（Ｓ３１０）。コンテンツを再生する旨の指示がなされなかったと判断された場合には（Ｓ３１０：Ｎ）、本Ｓ３１０を繰り返し実行することで待機する。一方、コンテンツを再生する旨の指示がなされたと判断された場合には（Ｓ３１０：Ｙ）、その再生を指示されたコンテンツがコピー不可と指定されたコンテンツであるか否かを判断する（Ｓ３１５）。その再生を指示されたコンテンツがコピー不可と指定されたコンテンツではないと判断された場合には（Ｓ３１５：Ｎ）、本処理を終了する。
【００４５】
一方、その再生を指示されたコンテンツがコピー不可と指定されたコンテンツであると判断された場合には（Ｓ３１５：Ｙ）、測定用画面の再生を開始し、端子電圧検出手段４５を制御して端子電圧Ｅ1の測定を開始させる（Ｓ３２０）。
【００４６】
続いて、その測定された波長から、ビデオデータが示す色彩が白色であるか否かを判断する（Ｓ３２５）。ビデオデータが示す色彩が白色ではないと判断された場合には（Ｓ３２５：Ｎ）、本Ｓ３２５を繰り返し実行することで待機する。一方、ビデオデータが示す色彩が白色であると判断された場合には（Ｓ３２５：Ｙ）、端子電圧検出手段４５のＰ端子における端子電圧Ｅ1の値をＨＤＤ１６の「ＥＷ２」記録領域へ記録させる（Ｓ３３０、図３(ｃ)参照）。
【００４７】
続いて、測定された波長から、ビデオデータが示す色彩が青色であるか否かを判断する（Ｓ３３５）。ビデオデータが示す色彩が青色ではないと判断された場合には（Ｓ３３５：Ｎ）、本Ｓ３３５を繰り返し実行することで待機する。一方、ビデオデータが示す色彩が青色であると判断された場合には（Ｓ３３５：Ｙ）、端子電圧検出手段４５のＰ端子における端子電圧Ｅ1の値をＨＤＤ１６の「ＥＢ２」記録領域へ記録させる（Ｓ３４０、図３(ｃ)参照）。
【００４８】
続いて、ＨＤＤ１６の「ＥＷ１」記録領域に記録されている値とＨＤＤ１６の「ＥＷ２」記録領域に記録されている値とが等しく、且つＨＤＤ１６の「ＥＢ１」記録領域に記録されている値とＨＤＤ１６の「ＥＢ２」記録領域に記録されている値とが等しいか否かを判断する（Ｓ３４５、図４(ａ)参照）。
【００４９】
具体的には、次の式（２）を用いてカラオケ装置１の出力端子３７に接続された機器が適切な機器であるか否かを判断する。
ＲＬX＝（ＥＷX−ＥＢX）／（ＥＷ０−ＥＢ０）・・・式（２）
「ＥＷ１」記録領域に記録されている値と「ＥＷ２」記録領域に記録されている値とが等しくないと判断されたか、または、「ＥＢ１」記録領域に記録されている値とＨＤＤ１６の「ＥＢ２」記録領域に記録されている値とが等しくないと判断された場合には（Ｓ３４５：Ｎ）、適切でない外部機器が出力端子３７に接続されていると判断し、例えばカラオケボックスの受け付けに設置された端末などの外部へその旨を通知し（Ｓ３６５）、本処理を終了する。
【００５０】
一方、「ＥＷ１」記録領域に記録されている値と「ＥＷ２」記録領域に記録されている値とが等しく、且つ「ＥＢ１」記録領域に記録されている値とＨＤＤ１６の「ＥＢ２」記録領域に記録されている値とが等しいと判断された場合には（Ｓ３４５：Ｙ）、適切な外部機器であるＴＶモニタ３が出力端子３７に接続されていると判断し、コンテンツデータの本編の再生を開始する（Ｓ３５０）。
【００５１】
続いて、コンテンツデータの本編の再生が終了したか否かを判断する（Ｓ３５５）。コンテンツデータの本編の再生が終了したと判断された場合には（Ｓ３５５：Ｙ）、本処理を終了する。一方、コンテンツデータの本編の再生が終了していないと判断された場合には（Ｓ３５５：Ｎ）、端子電圧検出手段４５のＰ端子における端子電圧Ｅ1の値が閾値以上であるか否かを判断する（Ｓ３６０、ＴＶモニタ３がコンポジット信号を入力可能である場合には図４（ｂ）を参照、ＴＶモニタ３がＤ端子に接続される場合には図５を参照）なお、ＴＶモニタ３がＤ端子に接続される場合には、輝度Ｙ信号の端子電圧を測定する。測定するタイミングについては測定用ゲートパルス信号が検出された際であり、その測定された端子電圧値とステップＳ１６０にて予め測定した電圧値とを比較する。端子電圧検出手段４５のＰ端子における端子電圧Ｅ1の値が閾値以上ではないと判断された場合には（Ｓ３６０：Ｎ）、Ｓ３５５に戻る。一方、端子電圧検出手段４５のＰ端子における端子電圧Ｅ1の値が閾値以上であると判断された場合には（Ｓ３６０：Ｙ）、適切でない外部機器が出力端子３７に接続されていると判断し、例えばカラオケボックスの受け付けに設置された管理者の端末などの外部へＬＡＮを介してその旨を通知する（Ｓ３６５）。
【００５２】
そして、本処理を終了する。
［第一実施形態の効果］
（１）このように第一実施形態のカラオケ装置１によれば、負荷検出部３６が、端子電圧検出手段４５のＰ端子における端子電圧Ｅ1の値を検出し、制御部１２が、負荷検出部３６によって検出された端子電圧Ｅ1の値に基づき、出力端子３７に接続されたＴＶモニタ３が適切なものであるか否かを判定する「判定処理」を実行する。つまり、制御部１２が、出力端子３７に接続されたＴＶモニタ３の適否を、端子電圧検出手段４５のＰ端子における端子電圧Ｅ1の値に基づいて判定するので、例えば不正使用者がカラオケ装置１側の出力端子３７とＴＶモニタ３側の接続端子との間に複製機器を介在させた場合にそのことを検知することができ、したがって、カラオケボックスのルーム内で使用されるカラオケ装置において、再生されるコンテンツが不正に複製されることを防ぐことができる。
【００５３】
なお、上述の映像出力端子がＤ端子である場合には、次のような問題があった。すなわち、ＴＶ機器の負荷インピーダンスの数値は、機種ごとに固有の値があり、入力インピーダンスについては上述のような値（７５Ω）ではない。したがって、出力側インピーダンスの値が例えば７５（Ω）といった具合に一定であっても、ＴＶ機器の負荷インピーダンスの数値が変化するために端子電圧Ａ、Ｂ又はＣは０．７（Ｖ）には定まらない。このことから、次のような問題があった。すなわち、Ｄ端子にＴＶ機器が接続されると「１２番ピン」−「１４番ピン」がショートされ、「１２番ピン」−「１４番ピン」の接続状態を検出することにより、ＴＶ機器のＤ端子からの解放、又はＤ端子への接続を検知できるが、Ｄ端子から一旦解放され再接続された機器が、解放以前から接続されていたＴＶ機器が再接続されたのか、もしくは別の機器が新たに接続されたのかは検出できなかった。
【００５４】
また、（２）第一実施形態のカラオケ装置１によれば、ＴＶモニタ３がＤ端子に接続されている場合には、Ｄ端子からコネクタが取り外されたことを検出した場合、もしくは、接続されたＴＶ機器の負荷インピーダンスが、予め登録されていた機器と同じか異なるかを検出する場合に、接続機器が変化したことを検出した旨を管理者に通知することによって、管理者が目の届かない、カラオケボックスで行われるカラオケ装置１とＴＶモニタ３との間にビデオ録画装置を接続し、コピープロテクト信号が入っていないＤ端子からの再生ビデオ信号を盗み取るビデオオンデマンドの不正コピーを防ぐことができる。
【００５５】
（３）また、第一実施形態のカラオケ装置１によれば、判定処理において、映像コンテンツの再生中に、外部機器を接続した際の端子電圧検出手段４５のＰ端子における端子電圧Ｅ1の値が大きく変化した場合に適切な映像表示部ではないと判定する。このことのより、例えば不正使用者がカラオケ装置１の出力端子３７とＴＶモニタ３側の接続端子との間に複製機器を介在させたことが発覚しなかった場合であっても、出力端子３７に接続された外部機器が適切なものであるか否かを映像コンテンツの再生中に判定できる。
【００５６】
（３）また、第一実施形態のカラオケ装置１によれば、判定処理において、適切な外部機器であるＴＶモニタ３が出力端子３７に接続されている際の端子電圧検出手段４５のＰ端子における端子電圧Ｅ1の値を記録しておき、その値と現在の端子電圧検出手段４５のＰ端子における端子電圧Ｅ1の値とを比較することで、出力端子３７に接続された外部機器が適切なものであるか否かを判定する（Ｓ３４５）。このことにより、例えば不正使用者がカラオケ装置１の出力端子３７と外部機器側の接続端子との間に複製機器を介在させた場合にそのことを検知することができる。
【００５７】
（４）また、第一実施形態のカラオケ装置１によれば、判定処理において、上述のような端子電圧検出手段４５のＰ端子における端子電圧Ｅ1の値の比較処理（Ｓ３４５）を、映像コンテンツを再生する前に実行する。このことにより、例えば不正使用者がカラオケ装置側の接続端子と映像表示部側の接続端子との間に複製機器を介在させた場合にそのことをより早期に検知することができる。
【００５８】
（５）また、第一実施形態のカラオケ装置１によれば、判定処理において、映像コンテンツの再生中に、端子電圧検出手段４５のＰ端子における端子電圧Ｅ1の値が閾値以上であるか否かを判断する（Ｓ３６０）。このことにより、例えば不正使用者がカラオケ装置１の出力端子３７とＴＶモニタ３側の接続端子との間に複製機器を介在させたことが発覚しなかった場合であっても、出力端子３７に接続された外部機器が適切なものであるか否かを映像コンテンツの再生中に判定でき、したがって、再生されるコンテンツが不正に複製されることを防ぐことができる。
【００５９】
［他の実施形態］
以上、本発明の一実施形態について説明したが、本発明は上記実施形態に限定されるものではなく、以下のような様々な態様にて実施することが可能である。
【００６０】
（１）上記実施形態では、出力端子３７の端子電圧値を測定することでＴＶモニタ３に関する登録作業を行うディスプレイ登録処理（１）を制御部１２が実行するが、これにはは限られず、出力端子３７の負荷インピーダンス値を測定することでＴＶモニタ３に関する登録作業を行うディスプレイ登録処理（２）を制御部１２が実行するようにしてもよい。以下に、ディスプレイ登録処理（２）について説明する。
【００６１】
［カラオケ装置１のディスプレイ登録処理（２）の説明］
以下に、カラオケ装置１の制御部１２により実行されるディスプレイ登録処理（２）の処理手順を図７のフローチャートに基づいて説明する。このディスプレイ登録処理（２）は、出力端子３７の負荷インピーダンス値を測定することで、ＴＶモニタ３に関する登録作業を行う処理であり、例えば製造時など出力端子３７にＴＶモニタ３が接続されていない状態においてカラオケ装置１が起動された場合に実行される。
【００６２】
まず、端子電圧検出手段４５を制御して、スイッチ４３（ＳＷ１）およびスイッチ４４（ＳＷ２）をそれぞれ開放させる（Ｓ２１０）。
続いて、ＴＶモニタ３を出力端子３７に接続するよう要求する旨のデータをリモコン端末２へ送信するとともに、端子電圧検出手段４５を制御して、スイッチ４３（ＳＷ１）を開放させるとともに、スイッチ４４（ＳＷ２）を閉鎖させる（Ｓ２２０）。なお、この要求データを受信したリモコン端末２では、制御部５２が、各部を制御して、ＴＶモニタ３を出力端子３７に接続するよう要求する旨の通知を表示部５８に表示させる。
【００６３】
続いて、ＴＶモニタ３が出力端子３７へ接続された旨のデータをリモコン端末２が受信したか否かを判断する（Ｓ２３０）。上述のデータをリモコン端末２が受信していないと判断された場合には（Ｓ２３０：Ｎ）、本Ｓ２３０を繰り返し実行することで待機する。
【００６４】
一方、上述のデータをリモコン端末２が受信したと判断された場合には（Ｓ２３０：Ｙ）、端子電圧検出手段４５の端子Ｐにおける端子インピーダンス値を測定する（Ｓ２４０）。そして、インピーダンス値における成分「Ｒ」、成分「Ｌ」および成分「Ｃ」を測定して、その測定値をＨＤＤ１６の記録領域に記録させる（Ｓ２５０）。
【００６５】
続いて、端子電圧検出手段４５を制御して、スイッチ４３（ＳＷ１）およびスイッチ４４（ＳＷ２）をそれぞれ閉鎖させる（Ｓ２６０）。
そして、本処理を終了する。
【図面の簡単な説明】
【００６６】
【図１】第一実施形態のカラオケ装置の全体構成を示すブロック図である。
【図２】第一実施形態のカラオケ装置の負荷検出部、出力端子およびＴＶモニタの入力アンプの詳細を示すブロック図である。
【図３】（ａ）は第一実施形態のカラオケ装置のＤ端子の形状とピン番号の詳細を説明する説明図（１）であり、（ｂ）はＤ端子のピン番号に対応する信号名を説明する説明図（２）であり、（ｃ）は判定処理を説明する説明図である。
【図４】（ａ）は判定処理を説明する説明図（１）であり、（ｂ）は判定処理を説明する説明図（２）である。
【図５】判定処理を説明する説明図（３）である。
【図６】ディスプレイ登録処理（１）を示すフローチャートである。
【図７】ディスプレイ登録処理（２）を示すフローチャートである。
【図８】判定処理を示すフローチャートである。
【図９】（ａ）は一般的なカラオケシステムにおいてカラオケ装置とＴＶモニタとの接続状態を示す説明図であり、（ｂ）は一般的なカラオケシステムにおいてカラオケ装置とＴＶモニタとの間に不正な複製システムが接続された状態を示す説明図である。
【符号の説明】
【００６７】
１…カラオケ装置、２…リモコン端末、３…ＴＶモニタ、３ａ…入力アンプ、
１２…制御部、１４…インターフェイス部、１６…ハードディスク（ＨＤＤ）、
１８…操作部、２０…赤外線通信部、２２…操作処理部、２４…音声制御部、
２６…マイクロフォン、２８…スピーカ、３０…ＭＩＤＩ音源、３２…ビデオＲＡＭ、
３４…映像再生部、３６…負荷検出部、３７…出力端子、３８…映像制御部、
３９…ＵＳＢ、４０…出力アンプ、４１…アンプ、４２…抵抗、４３，４４…スイッチ、
４５…端子電圧検出手段、５２…制御部、５４…赤外線通信部、５６…メモリ、
５８…表示部、６０…操作部、６２…操作処理部、６４…ビデオＲＡＭ、
６６…映像制御部、６８…無線ＬＡＮ通信部
【図１】
2007241082.tif 000003
【図２】
2007241082.tif 000004
【図３】
2007241082.tif 000005
【図４】
2007241082.tif 000006
【図５】
2007241082.tif 000007
【図６】
2007241082.tif 000008
【図７】
2007241082.tif 000009
【図８】
2007241082.tif 000010
【図９】
2007241082.tif 000011